(57)【要約】【課題】デザイン性、シール性が良く、かつ自動組立が容易で、しかも大きく画面を利用できる。【解決手段】  液晶表示装置のフレーム１において、フレーム１の前面を構成するフロント枠２を矩形で断面形状がＬ字状の環状体とする。フロント枠２と一体に背面カバー３を接合する。フロント枠２側面の内側に、一体にフロント枠２より硬度が柔らかい素材で構成される位置決め部材１７を形成する。この位置決め部材１７で液晶表示装置の表示ユニット１４を固定し、かつ塵等の侵入を防ぐ。フロント枠２は、透明樹脂で構成しているので、液晶ユニット１０の表示部分の縁まで利用できるので、表示部分がより広くなる。【選択図】      図１
2013160810.tif 000002
【特許請求の範囲】
【請求項１】
内部に表示ユニット（１４）を収納した表示装置のフレーム（１）であって、
前記フレーム（１）の前面を構成し、矩形で断面形状がＬ字状の環状体であるフロント枠（２）と、
前記フロント枠（２）と一体に接合され、前記フレームの背面を構成する背面カバー（３）と、
前記フロント枠（２）側面の内側に一体に接合され、前記フロント枠（２）より硬度が柔らかい素材で構成され、前記表示ユニット（１４）の外周側面に接して位置決めする位置決め部材（１７，２５，３０）と
からなることを特徴とする表示装置のフレーム。
【請求項２】
請求項１において、
前記フロント枠（２）には、前記フロント枠（２）の内側の前面の全周に一体に接合して形成されているシール部材（１６）と、
前記背面カバー（３）の外周で底面（２２）に一体に接合して形成されているシール部材（２３）と
からなることを特徴とする表示装置のフレーム。
【請求項３】
請求項１において、
位置決め部材（２５）は、前記表示ユニット（１４）を構成する各要素（１０、１１、１２）の外周の端部を収納する凹部（２６）、又は前記各要素（１０、１１、１２）の外形に合致するように階段状に形成されている
ことを特徴とする表示装置のフレーム。
【請求項４】
請求項２において、
前記フロント枠（２）、及びシール部材（１６）は、可視光を透過する透明樹脂である
ことを特徴とする表示装置のフレーム。
【請求項５】
請求項４において、
前記フロント枠（２）と背面カバー（３）とは、レーザー溶接で一体に接合されている
ことを特徴とする表示装置のフレーム。
【請求項６】
内部に表示ユニット（１４）を収納した表示装置のフレーム（１）であって、
前記フレーム（１）の前面を構成し、矩形で断面形状がＬ字状の環状体であるフロント枠（２）と、
前記フロント枠（２）と一体に接合され、前記フレームの背面を構成する背面カバー（３）と、
前記背面カバー（３）の内側の側面及び底面に一体に接合され、前記前記背面カバー（３）より硬度が柔らかい素材で構成され、前記表示ユニット（１４）の外周側面に接して位置決めする位置決め部材（３０，３５）と
からなることを特徴とする表示装置のフレーム。
【請求項７】
請求項６において、
前記位置決め部材（３５）は、前記表示ユニット（１４）を構成する各要素の外形に合致するように階段状（３６）に形成されている
ことを特徴とする表示装置のフレーム。
【請求項８】
請求項６又は７において、
前記フロント枠（２）は、可視光を透過する透明樹脂である
ことを特徴とする表示装置のフレーム。
【請求項９】
請求項６又は７において、
前記フロント枠（２）と背面カバー（３）とは、レーザー溶接で一体に接合されている
ことを特徴とする表示装置のフレーム。
【発明の詳細な説明】
【技術分野】
【０００１】
本発明は、液晶テレビ、パソコンのディスプレイ等に使用されている液晶表示装置等の表示装置のフレームに関する。更に詳しくは、例えば、液晶パネル、光学シート、バックライトユニット等の収納部品、ユニットを筐体である矩形フレームに位置決め、固定するための表示装置のフレームに関する。
【背景技術】
【０００２】
大型液晶テレビジョン装置等のバックライト型液晶表示装置は、液晶パネル、光拡散シート、プリズムシート、偏光シート等の光学シート、バックライトユニット、これらを収納する筐体等からなる。このような液晶表示装置の筐体は、表示装置の各機種毎にそれぞれ個別に設計、製作されている（特許文献１及び２）。近年の液晶表示装置は、大画面で、かつデザイン性等の要求から画面の外周を構成する筐体の外枠であるフレームは、目立たないように細いものが要求されている。しかしながら、液晶パネルが外部からの力で、又は自重等による力から変形しないようにするには、フレームには一定の強度、及びゴミ等の侵入を防ぐためにシールド性が要求されるので、従来のフレーム構造では細くするにも限界がある。
【０００３】
一方、液晶表示装置の組立は品質の安定性、コスト面から可能な限り、自動組立装置が採用されており、このために外枠フレームの構造もこの自動組立装置に適合する構造、即ち、自動組立しやすい簡素な構造が好ましい。本出願人は、このたの液晶表示装置の光学シートを保持する簡素な構造の保持具を提案した（特許文献３）。
【先行技術文献】
【特許文献】
【０００４】
【特許文献１】特開２０１１−２４９３３１号公報
【特許文献２】特開２０１２−４１１３号公報
【特許文献３】特開２００７−１８８０２９号公報
【発明の概要】
【発明が解決しようとする課題】
【０００５】
本発明は上述のような技術背景のもとになされたものであり、下記目的を達成する。
本発明の目的は、デザイン性、シール性が良く、かつ自動組立が容易な表示装置のフレームを提供することにある。
本発明の目的は、大きく画面を利用できる表示装置のフレームを提供することにある。
【課題を解決するための手段】
【０００６】
本発明は、前記目的を達成するため、次の手段を採る。
本発明１の表示装置のフレームは、
内部に表示ユニット（１４）を収納した表示装置のフレーム（１）であって、
前記フレーム（１）の前面を構成し、矩形で断面形状がＬ字状の環状体であるフロント枠（２）と、
前記フロント枠（２）と一体に接合され、前記フレームの背面を構成する背面カバー（３）と、
前記フロント枠（２）側面の内側に一体に接合され、前記フロント枠（２）より硬度が柔らかい素材で構成され、前記表示ユニット（１４）の外周側面に接して位置決めする位置決め部材（１７，２５，３０）とからなることを特徴とする。
【０００７】
本発明２の表示装置のフレームは、本発明１において、
前記フロント枠（２）には、前記フロント枠（２）の内側の前面の全周に一体に接合して形成されているシール部材（１６）と、
前記背面カバー（３）の外周で底面（２２）に一体に接合して形成されているシール部材（２３）とからなることを特徴とする。
本発明３の表示装置のフレームは、本発明１において、
位置決め部材（２５）は、前記表示ユニット（１４）を構成する各要素（１０、１１、１２）の外周の端部を収納する凹部（２６）、又は前記各要素（１０、１１、１２）の外形に合致するように階段状に形成されていることを特徴とする。
【０００８】
本発明４の表示装置のフレームは、本発明２において、
前記フロント枠（２）、及びシール部材（１６）は、可視光を透過する透明樹脂であることを特徴とする。
本発明５の表示装置のフレームは、本発明４において、
前記フロント枠（２）と背面カバー（３）とは、レーザー溶接で一体に接合されていることを特徴とする。
【０００９】
本発明６の表示装置のフレームは、
内部に表示ユニット（１４）を収納した表示装置のフレーム（１）であって、
前記フレーム（１）の前面を構成し、矩形で断面形状がＬ字状の環状体であるフロント枠（２）と、
前記フロント枠（２）と一体に接合され、前記フレームの背面を構成する背面カバー（３）と、
前記背面カバー（３）の内側の側面及び底面に一体に接合され、前記前記背面カバー（３）より硬度が柔らかい素材で構成され、前記表示ユニット（１４）の外周側面に接して位置決めする位置決め部材（３０，３５）とからなることを特徴とする。
【００１０】
本発明７の表示装置のフレームは、本発明６において、前記位置決め部材（３５）は、前記表示ユニット（１４）を構成する各要素の外形に合致するように階段状（３６）に形成されていることを特徴とする。
本発明８の表示装置のフレームは、本発明６又は７において、前記フロント枠（２）は、可視光を透過する透明樹脂であることを特徴とする。
本発明９の表示装置のフレームは、本発明６又は７において、前記フロント枠（２）と背面カバー（３）とは、レーザー溶接で一体に接合されていることを特徴とする。
【発明の効果】
【００１１】
本発明の表示装置のフレームは、外観のデザイン性、収納部品へのシール性が良く、かつ自動組立が容易になり、しかも大きく画面を利用できるようになった。
【図面の簡単な説明】
【００１２】
【図１】図１は、本発明の実施の形態１を示す液晶表示装置のフレーム１の一部の断面構造である。
【図２】図２は、本発明の実施の形態２を示す液晶表示装置のフレーム１の一部の断面構造である。
【図３】図３は、本発明の実施の形態３を示す液晶表示装置のフレーム１の一部の断面構造である。
【図４】図４は、本発明の実施の形態４を示す液晶表示装置のフレーム１の一部の断面構造である。
【図５】図５は、本発明の実施の形態４を示す液晶表示装置のフレーム１の一部の断面構造である。
【発明を実施するための形態】
【００１３】
［実施の形態１］
次に、本発明の実施の形態１を説明する。図１は、本発明の実施の形態１を示す液晶表示装置のフレーム１の断面構造である。フレーム１は、長方形の矩形の形をした構造体であり、この内部に液晶パネル１０、拡散シート、プリズムシート、偏向シート等からなる光学シート１１、導光板１２等を保持固定する構造体である。導光板１２の背面には、発光ダイオード等のバックライトが、一体、又は別体に組み込まれている（図示せず）。液晶パネル１０と光学シート１１との間は、スペーサ１３等も一定間隔を保つために介在されている。液晶パネル１０、光学シート１１、導光板１２、バックライト等の構造、機能は公知であり、本発明の要旨でもないので、これらの説明は省略する。以下、本実施の形態では、表示のための液晶パネル１０、拡散シート、光学シート１１、導光板１２等を表示ユニット１４という。
【００１４】
図１に示すように、フロント枠２は、フレーム１の前面に配置され、環状体で長方形状の矩形であり、断面構造がＬ字状の形をしたものである。この材質は、ポリカーボネート（ＰＣ）、ポリメタクリル酸メチル樹脂（ＰＭＭＭＡ）、ＡＢＳ樹脂（ＡＢＳ）等の透明樹脂からなる。このフロント枠２は、透明樹脂で構成しているので、液晶ユニット１０の表示部分の外縁まで視認できる。結果として、液晶ユニット１０の画面を広く利用できるので、液晶表示部分がより広くなる。Ｌ字状のフロント枠２の内側の前面の全周には、シール部材１６が一体に接合して形成されている。シール部材１６の材質は、フロント枠２の材質とは異材質、又は同材質で、かつフロント枠２の材質より柔らかい材質で、しかも透明材料が好ましい。
【００１５】
このシール部材１６は、組立時に液晶パネル１０の前面と接触しているので、液晶パネル１０の背後にゴミ、湿気等が侵入しないようにする機能と、表示ユニット１４を外部からの振動を防ぐ防振、緩衝材としての機能を有する。また、フロント枠２の側面の内側には、位置決め部材１７が一体に成形されている。位置決め部材１７の材質は、フロント枠２の材質とは異材質、又は同材質で、かつフロント枠２の材質より柔らかい材質で、しかも透明材料が好ましい。位置決め部材１７の外表面は、組立時に表示ユニット１４の外周側面と接触しているので、表示ユニット１４をフレーム１内の所定位置に位置決めする機能と、外部からの振動を表示ユニット１４に伝達しないようにする防振、緩衝材の機能を有する。
【００１６】
フロント枠２にシール部材１６、及び位置決め部材１７を一体に接合する方法は、フロント枠２を射出成形金型にインサートし、シール部材１６、及び位置決め部材１７を射出するインサート成形法で成形する。フロント枠２の外周面には、鋸歯状の複数の三角形状の嵌合突起１８が形成されている。この嵌合突起１８は、後述する背面カバー２と接合するためのものである。フロント枠２の背面には、このフロント枠２に一体に組立てられる背面カバー３が配置されている。背面カバー３は、全体が矩形の形をしたものであり、収納空間２１が形成された筐体である。背面カバー３の素材は、フロント枠２と同一素材であるが、本例では透明の素材ではなく、黒色等の色素で染められている。
【００１７】
背面カバー３の収納空間２１の底部２２に、表示ユニット１４が収容されている。背面カバー３の外周で底面２２には、シール部材２３が一体に接合して形成されている。シール部材２３の材質は、背面カバー３の材質とは異材質、又は同材質でフロント枠２の材質より柔らかい材質を用いたものである。シール部材２３は、組立時に表示ユニット１４の背面と接触しているので、外部からの振動を表示ユニット１４に伝達しないようにする防振、緩衝材の機能を有する。背面カバー３にシール部材２３を一体に接合する方法は、背面カバー３を射出成形金型にインサートし、背面カバー３を射出するインサート成形法で成形する。背面カバー３の内周面には、鋸歯状の複数の三角形状の嵌合突起２４が形成されている。
【００１８】
この嵌合突起２４は、前述したフロント枠２の嵌合突起１８と形状が一致しているので嵌合して接合する。フロント枠２の嵌合突起１８と背面カバー３の嵌合突起２４との接合は、フロント枠２及び背面カバー２を一時的に変形させて行う。この両者を嵌合して接合した後、この接合部分に外周からレーザーを照射して溶接して、フロント枠２及び背面カバー２を固定して組立てする。
【００１９】
本実施の形態１は、以上のような構造を有しているので、自動組立するときに表示ユニット１４をフレーム１内への位置決めが容易であり、しかも組立て後は表示ユニット１４内に塵等が侵入しないような構造となる。しかも、フロント枠２、背面カバー３より柔らかい素材のシール部材１６，２３、位置決め部材１７等で表示ユニット１４を支えているので、振動にも強く、しかも自動組立装置での組立が容易になった。また、フロント枠２に透明樹脂を用いたので、液晶パネル１０の外周の表示部を全て見ることができるので、広い画面とすることが可能となり、デザインの自由度も増し意匠性も良くなった。
【００２０】
［実施の形態２］
図２に示す実施の形態２の構造は、基本的には実施の形態１のものと同様であるが、Ｌ字状のフロント枠２の内側の前面のシール部材１６を配置していない点で異なる。フロント枠２と表示ユニットの間には位置決め部材１７を有しているので、実施の形態１のようにシール部材１６を配置しなくても、ゴミの侵入、防振性は確保できる。シール部材１６を有していないので、表示ユニット１４の外縁部において、透明樹脂からなるフロント枠２による光の屈折が少なく視界を妨げる要因が少ない利点がある。
【００２１】
［実施の形態３］
図３に示す実施の形態３の構造は、透明樹脂で作られたＬ字状のフロント枠２の内側の全側面に保持部材２５のみを配置したものである。保持部材２５の材質は、透明の樹脂であり、フロント枠２の材質とは異材質、又は同材質でフロント枠２の材質より柔らかい材質を用いたものである。保持部材２５は、液晶パネル１０、光学シート１１、導光板１２等を収納し保持する凹部２６が形成されている。従って、保持部材２５は、表示ユニット１４を位置決めして保持し、かつ防塵、防振機能を備えたものとなる。また、保持部材２５は、透明樹脂で作られているので、液晶ユニット１０の視認を妨げることもない。このフロント枠２の構造は簡素にできる利点がある。ただし、この構造では、保持部材２５の凹部２６に、液晶パネル１０、光学シート１１、導光板１２等を直接的には収納できないので、フロント枠２は一箇所切断されたもの、２分割したもの等の構造にする。
【００２２】
実施の形態３の保持部材２５は、表示ユニット１４を一つの凹部２６に挿入し、小位置決め、固定するものであった。保持部材２５の断面形状は、この形状でなくても表示ユニット１４を構成する液晶パネル１０、光学シート１１、導光板１２の外形のサイズを異ならせて、この外形に合致するように、階段状に形成したものであっても良い。このように階段状に形成する（図示せず）と、表示ユニット１４を別工程で組み立てる必要がなく、フレーム１の組立てと同時にできる利点がある。
【００２３】
［実施の形態４］
図４に示す実施の形態４の構造は、背面カバー３の内側の全側面に保持部材３０のみを配置したものである。保持部材３０の材質は、背面カバー３の材質とは異材質、又は同材質でフロント枠２の材質より柔らかい材質を用いたものである。保持部材３０は、液晶パネル１０、光学シート１１、導光板１２等を収納し位置決めするものである。従って、保持部材３０は、表示ユニット１４を収納し、位置決めて保持し、かつ防塵、防振機能を備えたものとなる。この構造を採用することにより、フロント枠２の構造は簡素にできる利点がある。
【００２４】
［実施の形態５］
図５に示す実施の形態５の構造は、実質的には実施の形態４に示したものと同一である。実施の形態５の保持部材３５は、表示ユニット１４を構成する液晶パネル１０、光学シート１１、導光板１２の外形のサイズに合致するように、階段３６に形成したものである。保持部材３５を階段３６に形成したことにより、液晶パネル１０と光学シート１１の間のスペーサが不要となる。また、表示ユニット１４を別工程で組み立てる必要がなく、フレーム１の組立てと同時に行える利点がある。
【００２５】
［他の実施の形態］
前述した実施の形態は、何れも液晶表示装置を例にした説明であるが、本発明の表示装置の筐体であるフレームは、前述した説明から理解されるように、液晶表示装置に限定されることなく、有機ELディスプレイ、プラズマディスプレイ等の他の原理の表示装置のフレームにも適用できる。
【符号の説明】
【００２６】
１…フレーム
２…フロント枠
３…背面カバー
１０…液晶パネル
１１…光学シート
１２…導光板
１４…表示ユニット
１５…フロント枠
１６…シール部材
１７…位置決め部材
２３…シール部材
２６…凹部
【図１】
2013160810.tif 000003
【図２】
2013160810.tif 000004
【図３】
2013160810.tif 000005
【図４】
2013160810.tif 000006
【図５】
2013160810.tif 000007